(57)【要約】【課題】本発明の目的は、吸水体が軸部材に軸支された状態で当該吸水体を十分に絞ることが可能な清掃用払拭具を提供することにある。【解決手段】清掃用払拭具１は、差込み部２１を有する吸水体２と、差込み部２１に差し込まれて吸水体２を軸支する軸部材３と、を備え、軸部材３が、複数の長尺部３０と、該長尺部３０の軸方向に直交する方向に離間した状態で複数の長尺部３０を支持する支持部３１と、を有している。これによれば、吸水体２が軸部材３に軸支された状態で、作業者が手で、モップ１を捻り締める（絞る）、即ち吸水体２に吸水された水分を絞り出す際に、複数の長尺部３０が撓んで、これらの離間距離が狭められるから、吸水体２が軸部材３に軸支された状態であっても、これを大きく捻って絞ることができる。【選択図】図２
2017148387.tif 000002
【特許請求の範囲】
【請求項１】
差込み部を有する吸水体と、
前記差込み部に差し込まれて前記吸水体を軸支する軸部材と、を備え、
前記軸部材が、複数の長尺部と、該長尺部の軸方向に直交する方向に離間した状態で前記複数の長尺部を支持する支持部と、を有していることを特徴とする清掃用払拭具。
【請求項２】
前記複数の長尺部が一対からなり、
各前記長尺部が、前記支持部に連続される本体部と、該本体部に連続されるとともに前記支持部から離れた先端部分と、を有し、
各前記本体部は、離間方向に直交する方向が板厚方向となる板状部と、他方の前記長尺部から離れた端部に前記板状部から前記板厚方向に立設する立設部と、を有していることを特徴とする請求項１に記載の清掃用払拭具。
【請求項３】
前記先端部分は、前記本体部から離れるに従って前記離間方向に幅狭となる先細形状であることを特徴とする請求項２に記載の清掃用払拭具。
【請求項４】
前記先端部分は、前記板状部と略同じ程度の板厚となるように形成され、前記離間寸法が小さくなるように前記他方の長尺部に向けて延出する延出部を有していることを特徴とする請求項３に記載の清掃用払拭具。
【発明の詳細な説明】
【技術分野】
【０００１】
本発明は、清掃用払拭具に関する。
【背景技術】
【０００２】
床面や壁面に付着した埃や粉塵を払拭するためのモップが特許文献１に開示されている。図６は、特許文献１に開示された従来のモップを分解して示す図であり、（Ａ）は、モップを構成する払拭部を示す平面図であり、（Ｂ）は、（Ａ）に示す払拭部を保持する払拭部保持具を示す斜視図である。特許文献１に開示されたモップ１０１は、図６（Ａ）（Ｂ）に示すように、払拭部１０２と、この払拭部１０２に着脱可能な保持具１０３と、を備えている。払拭部１０２は、図６（Ａ）に示すように、平面視が略長方形状のモップ用基布１０４と、その下面に植設された多数のパイル部１０５と、を有して構成される。モップ用基布１０４の上面には、払拭部１０２を保持具１０３に装着させるための袋状部１０８が設けられている。
【０００３】
保持具１０３は、図６（Ｂ）に示すように、平面視がモップ用基布１０４と略同一形状の把持部１０６と、モップ１０１を操作するための柄１０７と、を有して構成されている。把持部１０６は両端に挿入部１０６Ａを有し、この挿入部１０６Ａをモップ用基布１０４の袋状部１０８に挿入することで、払拭部１０２を保持具１０３に装着可能に構成されている。
【先行技術文献】
【特許文献】
【０００４】
【特許文献１】特開２００５−２７０６３０号公報
【発明の概要】
【発明が解決しようとする課題】
【０００５】
上述した特許文献１に記載のモップ１０１は、払拭部１０２が保持具１０３に装着された状態で、作業者が手で払拭部１０２（モップ１０１）を絞る際には、当該モップ１０１を十分に捻ることができず、払拭部１０２に吸水された水分を十分に絞り出すことが困難だった。このため、払拭部１０２を把持部１０６から取り外して、払拭部１０２のみ絞る（捻る）ことが考えられるが、水分を含んだ払拭部１０２を保持具１０３に着脱する作業は面倒だった。
【０００６】
本発明の目的は、吸水体が軸部材に軸支された状態で当該吸水体を十分に絞ることが可能な清掃用払拭具を提供することにある。
【課題を解決するための手段】
【０００７】
上記目的は、以下の本発明によって解決される。
即ち、本発明は、差込み部を有する吸水体と、前記差込み部に差し込まれて前記吸水体を軸支する軸部材と、を備え、前記軸部材が、複数の長尺部と、該長尺部の軸方向に直交する方向に離間した状態で前記複数の長尺部を支持する支持部と、を有していることを特徴とする清掃用払拭具である。
【０００８】
本発明においては、前記複数の長尺部が一対からなり、各前記長尺部が、前記支持部に連続される本体部と、該本体部に連続されるとともに前記支持部から離れた先端部分と、を有し、各前記本体部は、離間方向に直交する方向が板厚方向となる板状部と、他方の前記長尺部から離れた端部に前記板状部から前記板厚方向に立設する立設部と、を有しているのがよい。
【０００９】
また、本発明においては、前記先端部分は、前記本体部から離れるに従って前記離間方向に幅狭となる先細形状であるのがよい。
【００１０】
さらに、本発明においては、前記先端部分は、前記板状部と略同じ程度の板厚となるように形成され、前記離間寸法が小さくなるように前記他方の長尺部に向けて延出する延出部を有しているのがよい。
【発明の効果】
【００１１】
本発明の清掃用払拭具は、差込み部を有する吸水体と、差込み部に差し込まれて吸水体を軸支する軸部材と、を備え、軸部材が、複数の長尺部と、該長尺部の軸方向に直交する方向に離間した状態で複数の長尺部を支持する支持部と、を有している。これによれば、作業者が手で、清掃用払拭具を捻り締める（絞る）、即ち吸水体に吸水された水分を絞り出す際に、複数の長尺部が撓んで、これらの離間距離が狭められるから、吸水体が軸部材に軸支された状態であっても、これを大きく捻って十分に絞ることができる。従って、軸部材から吸水体を取り外す手間を省略しつつ、吸水体に吸水された水分を十分に絞り出すことができる。
【００１２】
また、本発明において、複数の長尺部が一対からなり、各長尺部が、支持部に連続される本体部と、該本体部に連続されるとともに支持部から離れた先端部分と、を有し、各本体部は、離間方向に直交する方向が板厚方向となる板状部と、他方の長尺部から離れた端部（外側端部）に板状部から板厚方向に立設する立設部と、を有しているのがよい。一対の長尺部の離間距離が狭められるように当該清掃用払拭具が作業者の手で握られ、この状態で捻られることになるが、まず、清掃用払拭具が握られることにより、一対の長尺部のうち一方は他方に近接する側の端部（内側端部）が、他方の板状部と立設部との角部に当接される。この状態で、一対の長尺部が捻られることになるが、一方の内側端部が他方の板状部と立設部との角部に当接することで、各長尺部が必要以上に撓むことが阻まれ、当該長尺部が破損することを抑制できる。
【００１３】
さらに、立設部が設けられていることで、長尺部は、作業者が捻って絞るのに耐え得る強度を確保することができるとともに、清掃用払拭具が作業者の手で握られ、この状態で捻る際に、立設部の面が作業者の手に当接するから、苦痛を伴うことなく、吸水体に吸水された水分を十分に絞り出すことができる。
【００１４】
また、本発明において、先端部分は、本体部から離れるに従って離間方向に幅狭となる先細形状であるのがよい。これによれば、差込み部に先端部分を挿入する際に、先端部分が差込み部に引っ掛かることなくスムーズに差し込まれる。
【００１５】
また、さらに、本発明において、先端部分は、板状部と略同じ程度の板厚となるように形成され、離間寸法が小さくなるように他方の長尺部に向けて延出する延出部を有しているのがよい。これによれば、延出部が設けられていることで、長尺部の先端部分を先細形状にしつつ、捻って絞るのに耐え得る強度を確保することができる。
【図面の簡単な説明】
【００１６】
【図１】本発明の一実施の形態にかかる清掃用払拭具を示す斜視図である。
【図２】図１中の清掃用払拭具を構成する軸部材を示す図であり、（Ａ）は平面図であり、（Ｂ）は（Ａ）のＩ−Ｉ線に沿う断面図である。
【図３】図１中の清掃用払拭具を構成する軸部材を示す側面図である。
【図４】図１に示された軸部材の作用を説明するための図であり、（Ａ）は軸部材を握った状態を示す図であり、（Ｂ）は軸部材を捻っている様子を示す図である。
【図５】図１に示された吸水体が軸部材に軸支された状態で、吸水体を絞っている様子を示す図である。
【図６】従来のモップを分解して示す図であり、（Ａ）は、モップを構成する払拭部を示す平面図であり、（Ｂ）は、（Ａ）に示す払拭部を保持する払拭部保持具を示す斜視図である。
【発明を実施するための形態】
【００１７】
以下、本発明の例示的一態様である清掃用払拭具としての洗車用モップ（以下「モップ」と記す）を、図１〜図５を参照して説明する。本実施形態のモップ１は、洗車に用いられるものである。
【００１８】
モップ１は、図１に示すように、袋状部２１（差込み部）を有する吸水体２と、袋状部２１に差し込まれて吸水体２を軸支する軸部材３と、を備えて構成されている。なお、本明細書では、軸部材３が吸水体２を軸支した状態を、「吸水体２が軸部材３に装着された状態」と表現する場合がある。また、モップ１は、吸水体２が軸部材３に装着された状態で、吸水体２と軸部材３とを固定する固定手段（図示しない）を有している。
【００１９】
吸水体２は、図１に示すように、軸部材３の長尺部３０を挿入（差込み）可能な袋状に形成された袋状部２１と、袋状部２１の外周面に植設された多数の払拭片２２と、を有して構成されている。各払拭片２２は、複数本の繊維が撚り合わされて形成された繊維体から構成されている。本実施形態では、払拭片２２は繊維体から構成されているが、払拭片２２はパイルやスポンジや不織紙から構成されていてもよい。または、吸水体が、スポンジから構成されていてもよい。この場合には、吸水体に、長尺部３０を差込み可能である有底な凹部（差込み部）が形成されていればよい。即ち、吸水体は、液体にひたすと孔内の空気と置換される形で液体を吸い取り、また外部からの力で容易に放出する特性を有する部材から構成されていればよい。
【００２０】
軸部材３は、図２、図３に示すように、複数（図示例では２本）の長尺部３０と、これらの長尺部３０を支持する支持部３１と、支持部３１に連続された持ち手としての柄３２と、を有して構成されている。これらは、２本の長尺部３０、支持部３１、柄３２の順で、全体が長尺となるように連続形成されている。２本（一対）の長尺部３０は、各長尺部３０の軸方向（矢印Ｙ方向）が互いに平行となるように設けられているとともに各長尺部３０の軸方向に直交する方向（矢印Ｘ方向）に離間して支持部３１により支持されている。各長尺部３０は、撓むことが可能な部材から構成されている。即ち、軸部材３は、柔軟性及び形状保持性を有する材料から構成されていればよい。本実施形態では、軸部材３は、ＰＰから構成されている。しかしながら、軸部材として、ＰＥ、ＡＢＳやＰＯＭ等の他の部材で構成してもよい。なお、本明細書では、各長尺部３０の軸方向を矢印Ｙで示し、一対の長尺部３０の離間方向を矢印Ｘで示し、これら矢印Ｙと矢印Ｘとの双方に直交する方向を矢印Ｚで示す。
【００２１】
このように、一対の長尺部３０が矢印Ｘ方向に離間して設けられていることで、図４に示すように、作業者が手で、モップ１を捻り締める（絞る）、即ち吸水体２に吸水された水分を絞り出す際に、一対の長尺部３０が撓んでこれらの離間距離が狭められ、吸水体２が軸部材３に装着された状態であっても、これを大きく捻って絞ることができる。なお、図４では、吸水体２は省略されている。
【００２２】
各長尺部３０は、図２、図３に示すように、支持部３１に連続される本体部３３と、本体部３３に連続されるとともに支持部３１から離れた先端部分３４と、を有して構成されている。また、図２に示すように、一対の本体部３３のうち、矢印Ｘ方向に対向する各端部を「内側端部３３ａ」と記し、内側端部３３ａとは反対側の端部を「外側端部３３ｂ」と記す。
【００２３】
本体部３３は、図２（Ａ）（Ｂ）に示すように、矢印Ｚ方向が板厚方向となる板状部３５と、該板状部３５の矢印Ｚ方向の両面それぞれから立設する立設部３６と、を有して、Ｔ字状となるように形成されている。また、本体部３３は、矢印Ｘ方向の寸法が、矢印Ｙ方向の何れの位置においても一定となるように形成されている。立設部３６は、外側端部３３ｂに、矢印Ｙ方向の全長に連続形成されている。また、立設部３６は、先端部分３４側の端部に、先端部分３４に向かうに従って立設高さ（矢印Ｚ方向）が低くなる傾斜部３６Ａを有している。なお、本実施形態では、立設部３６は、板状部３５の矢印Ｚ方向の両面それぞれから立設して設けられているが、本発明はこれに限定されるものではない。立設部は、板状部３５の矢印Ｚ方向の一方の面から立設して設けられて、本体部はＬ字状となるように形成されていてもよい。
【００２４】
先端部分３４は、板状部３５と略同じ程度の板厚となるように該板状部３５の矢印Ｙ方向側に延在形成されている。この先端部分３４において、外側端部３３ｂに連続された部分は、本体部３３から矢印Ｙ方向に離れるに従って内側端部３３ａに向けて近付くような曲線３４ａから構成されている。即ち、先端部分３４は、本体部３３から矢印Ｙ方向に離れるに従って矢印Ｘ方向に幅狭の先細形状に形成されている。
【００２５】
また、先端部分３４において、内側端部３３ａに連続された部分は、斜め部４１ａと、該斜め部４１ａに連続された直線部４１ｂと、を有して構成されている。直線部４１ｂは、内側端部３３ａよりも矢印Ｘ方向の内方側（他方の長尺部３０側）に、内側端部３３ａと平行となるように設けられている。即ち、先端部分３４は、斜め部４１ａと直線部４１ｂとを有して構成されているとともに矢印Ｘ方向の内方に向けて延出する延出部４１を有している。そして、延出部４１が設けられていることで、各先端部分３４同士の矢印Ｘ方向の離間寸法は、各本体部３３同士の矢印Ｘ方向の離間寸法よりも狭くされている。このような延出部４１が設けられていることで、長尺部３０の先端部分３４を先細形状にしつつ、吸水体２を大きく捻って絞るのに耐え得る長尺部３０の強度を確保している。
【００２６】
支持部３１は、本体部３３の板状部３５の矢印Ｙ方向側に連続される連続部３７と、本体部３３の立設部３６に連続されるＵ字状部３８と、を有して構成されている。Ｕ字状部３８は、その曲線部分が矢印Ｙ方向の本体部３３から離れた側に位置するように設けられている。連続部３７の矢印Ｚ方向の上面は、板状部３５の矢印Ｚ方向の上面と略同じ高さとなるように設けられ、Ｕ字状部３８の矢印Ｚ方向の上面は、立設部３６の矢印Ｚ方向の上面と略同じ高さとなるように設けられている。
【００２７】
さらに、支持部３１は、軸部材３を矢印Ｙ方向に連結分離可能に構成する連結部３１Ａを有している。即ち、連結部３１Ａにより軸部材３は、一対の長尺部３０及び支持部３１の一部３１Ｂから構成された第１部材３Ａと、柄３２及び支持部３１の残りの部分３１Ｃから構成された第２部材３Ｂと、を連結分離可能に構成されている。連結部３１Ａは、第１部材３Ａと第２部材３Ｂとのうち一方から矢印Ｙ方向に突出する爪部（不図示）と、第１部材３Ａと第２部材３Ｂとのうち他方に設けられているとともに、爪部を進入係止させる爪受け部（不図示）と、を有して構成されている。
【００２８】
ここで、モップ１は、梱包状態をコンパクトにするために、軸部材３は、爪部と爪受け部が分離された状態で梱包されている。そして、使用時において爪部が爪受け部に係止することで、第１部材３Ａと第２部材３Ｂが連結部３１Ａにより連結された軸部材３が構成される。
【００２９】
柄３２は、作業者が握り易いように矢印Ｙ方向の全長が断面丸形となるように形成されている。柄３２は、柄本体部３２（柄３２と同じ符号を付す）と、該柄本体部３２と支持部３１との間においてこれらに連続されるとともに柄本体部３２よりも小径な小径部３２Ａと、を有して構成されている。
【００３０】
続いて、上述した構成を有するモップ１の組立方法について説明する。梱包状態において、軸部材３は第１部材３Ａと第２部材３Ｂとが分離されているから、爪部を爪受け部に係止させて、第１部材３Ａと第２部材３Ｂが連結された軸部材３を形成する。次に、軸部材３の先端部分３４を、吸水体２における袋状部２１の挿入口に近付けて差し込む。軸部材３の先端部分３４は、本体部３３から離れるに従って離間方向に幅狭となる先細形状であるから、吸水体２に長尺部３０を挿入する際に、先端部分３４が袋状部２１に引っ掛かることなく差し込まれる。軸部材３の先端部分３４が、袋状部２１の挿入口から離れた奥側の端部に突き当たる。吸水体２が軸部材３に装着される。この後、図示しない固定手段により、吸水体２と軸部材３とを固定する。このようにしてモップ１を組み立てる。
【００３１】
このようにして組み立てたモップ１の使用方法の一例について説明する。本実施形態のモップ１は、洗車する際に用いられるものである。
【００３２】
まず、図示しない容器に水を注ぎ、水が入った容器を洗車する車両の近傍まで運ぶ。次に、洗浄剤を車両ボディにスプレー等を用いて吹き付け、車両ボディをモップ１の吸水体２で撫でて汚れを落とす。車両ボディの汚れが吸水体２に付着する。この後、吸水体２の汚れを容器の水で濯ぐために、吸水体２を容器の水に浸して、吸水体２に水を含ませて、容器内で濯ぐ。すると、吸水体２に付着した汚れが除去される。
【００３３】
この時、モップ１は、吸水体２が水を含んだ状態であるが、モップ１が矢印Ｘ方向に離間して設けられた一対の長尺部３０を有していることで、図４、図５に示すように、作業者が手で、モップ１を捻り締める（絞る）、即ち吸水体２に吸水された水分を絞り出す際に、複数の長尺部３０が撓んで、これらの離間距離が狭められて、吸水体２が軸部材３に装着された状態であっても、これを大きく捻って絞ることができる。このように、一対の長尺部３０が矢印Ｘ方向に離間して設けられていることで、軸部材３から吸水体２を取り外す面倒なく、吸水体２に吸水された水分を十分に絞り出すことができる。
【００３４】
なお、上述した実施形態では、モップ１は、洗車に用いられるモップの一例として説明しているが、本発明はこれに限定されるものではない。モップは、洗車以外でも、例えば床や壁面を清掃するものとして用いられるものであってもよい。
【００３５】
また、上述した実施形態では、軸部材３は、２本の長尺部３０を有した例を一例として説明しているが、本発明はこれに限定されるものではない。軸部材３は、矢印Ｘ方向（長尺部の軸方向に直交する方向）に離間した２本以上の長尺部３０を有して構成されていてもよい。
【００３６】
また、上述した実施形態では、軸部材３は、２本の長尺部３０、支持部３１、柄３２の順で、全体が長尺となるように連続形成された例を一例として説明しているが、本発明はこれに限定されるものではない。軸部材は、支持部と、支持部を挟んで矢印Ｙ方向の両側に延在形成された各２本の長尺部と、支持部に連続形成されるとともに矢印Ｘ方向に延在形成された柄と、を有して略Ｔ字状に形成されていてもよい。
【００３７】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の清掃用払拭具の構成を具備する限り、勿論、本発明の範疇に含まれるものである。
【符号の説明】
【００３８】
１      モップ（清掃用払拭具）
２      吸水体
２１    袋状部（差込み部）
３      軸部材
３０    長尺部
３１    支持部
３３    本体部
３４    先端部分
３５    板状部
３６    立設部
４１    延出部
【図１】
2017148387.tif 000003
【図２】
2017148387.tif 000004
【図３】
2017148387.tif 000005
【図４】
2017148387.tif 000006
【図５】
2017148387.tif 000007
【図６】
2017148387.tif 000008